(57)【特許請求の範囲】
【請求項１】
ベース基板と、前記ベース基板上にマトリクス状に配列された複数の自己容量電極と、タッチ期間に各前記自己容量電極の容量値の変化を検出することによってタッチ位置を判断するためのタッチチップとを備えるタッチパネルであって、
前記複数の自己容量電極は複数の互いに独立した自己容量電極群と複数の独立した自己容量電極に分けられ、
各前記独立した自己容量電極はそれぞれ１つの前記自己容量電極であり、各前記独立した自己容量電極はそれぞれ異なるリード線によって前記タッチチップに電気的に接続され、
各前記自己容量電極群はいずれも位置が隣接しない少なくとも２つの自己容量電極を備え、同一の自己容量電極群に属する各前記自己容量電極が同一のリード線によって前記タッチチップに電気的に接続され、少なくとも各前記自己容量電極群における各前記自己容量電極の上、下、左、右の４つの隣接位置に位置する自己容量電極はいずれも独立した自己容量電極であるタッチパネル。
【請求項２】
各前記自己容量電極群は列方向又は行方向に位置が隣接しない少なくとも２つの自己容量電極を備える請求項１に記載のタッチパネル。
【請求項３】
同一の前記自己容量電極群に属する各前記自己容量電極の間に１つの前記独立した自己容量電極が介在する請求項１又は２に記載のタッチパネル。
【請求項４】
各前記自己容量電極群は２つの前記自己容量電極を備える請求項１−３のいずれか一項に記載のタッチパネル。
【請求項５】
各前記独立した自己容量電極の上、下、左、右の４つの隣接位置での自己容量電極はいずれも前記自己容量電極群における自己容量電極である請求項１−４のいずれか一項に記載のタッチパネル。
【請求項６】
各前記自己容量電極群における各前記自己容量電極の隣接位置に位置する自己容量電極はいずれも独立した自己容量電極である請求項１−４のいずれか一項に記載のタッチパネル。
【請求項７】
前記自己容量電極は前記ベース基板上に設置された共通電極層として兼用化されてなり、
前記タッチチップはさらに表示期間に各自己容量電極に共通電極信号をロードすることに用いられる請求項１−６のいずれか一項に記載のタッチパネル。
【請求項８】
隣接する２つの前記自己容量電極の対向する側縁はいずれも折れ線である請求項１−７のいずれか一項に記載のタッチパネル。
【請求項９】
隣接する２つの前記自己容量電極の対向する折れ線の側縁はいずれも階段状構造を有し、２つの階段状構造の形状が一致して相互にマッチングする請求項８に記載のタッチパネル。
【請求項１０】
隣接する２つの前記自己容量電極の対向する折れ線の側縁はいずれも凹凸状構造を有し、２つの凹凸状構造の形状が一致して相互にマッチングする請求項８に記載のタッチパネル。
【請求項１１】
前記タッチパネルはアドオン型タッチパネル、オンセル型タッチパネル又はインセル型タッチパネルである請求項１−１０のいずれか一項に記載のタッチパネル。
【請求項１２】
請求項１−１１のいずれか一項に記載のタッチパネルのタッチ位置特定方法であって、
前記タッチパネルにおける自己容量電極にタッチ検出信号を入力するステップと、
各前記自己容量電極のフィードバック信号を受信し、フィードバック信号に基づいて各位置に位置する前記自己容量電極の容量値と第１プリセット容量値とを比較し、容量値が前記第１プリセット容量値より大きい自己容量電極の所在位置を第１位置として確定するステップと、
各々の前記第１位置に対して、前記第１位置の上、下、左、右の４つの隣接位置に位置する自己容量電極の容量値が第２プリセット容量値より小さいか否かを判断するステップと、
前記第１位置の上、下、左、右の４つの隣接位置に位置する自己容量電極のうち少なくとも２つの自己容量電極の容量値が前記第２プリセット容量値より小さいと、前記第１位置をゴースト位置として確定するステップと、
前記ゴースト位置を除去した前記第１位置をタッチ位置として確定するステップとを含むタッチパネルのタッチ位置特定方法。
【請求項１３】
請求項６に記載のタッチパネルのタッチ位置特定方法であって、
前記タッチパネルにおける自己容量電極にタッチ検出信号を入力するステップと、
各前記自己容量電極のフィードバック信号を受信し、フィードバック信号に基づいて各位置に位置する前記自己容量電極の容量値と第１プリセット容量値とを比較し、容量値が前記第１プリセット容量値より大きい自己容量電極の所在位置を第１位置として確定するステップと、
各々の前記第１位置に対して、前記第１位置の隣接位置に位置する自己容量電極の容量値が第２プリセット容量値より小さいか否かを判断するステップと、
前記第１位置の隣接位置に位置する自己容量電極のうち少なくとも半分の自己容量電極の容量値が前記第２プリセット容量値より小さいと、前記第１位置をゴースト位置として確定するステップと、
前記ゴースト位置を除去した前記第１位置をタッチ位置として確定するステップとを含むタッチパネルのタッチ位置特定方法。
【請求項１４】
請求項１−１１のいずれか一項に記載のタッチパネルを備える表示装置。
【請求項１５】
前記表示装置は液晶ディスプレイスクリーン又は有機エレクトロルミネッセンスディスプレイスクリーンである請求項１４に記載の表示装置。
【発明の詳細な説明】
【技術分野】
【０００１】
本発明の実施例はタッチパネル、そのタッチ位置特定方法及び表示装置に関する。
【背景技術】
【０００２】
表示技術の飛躍的な発展に伴い、タッチパネル（Ｔｏｕｃｈ  Ｓｃｒｅｅｎ  Ｐａｎｅｌ）は人々の生活に徐々に普及されている。通常、構造に応じて、タッチパネルは、アドオン型タッチパネル（Ａｄｄ−ｏｎ  Ｍｏｄｅ  Ｔｏｕｃｈ  Ｐａｎｅｌ）、オンセル型タッチパネル（Ｏｎ−Ｃｅｌｌ  Ｔｏｕｃｈ  Ｐａｎｅｌ）、及びインセル型タッチパネル（Ｉｎ−Ｃｅｌｌ  Ｔｏｕｃｈ  Ｐａｎｅｌ）に分けられる。アドオン型タッチパネルはタッチパネルとディスプレイスクリーン（Ｌｉｑｕｉｄ  Ｃｒｙｓｔａｌ  Ｄｉｓｐｌａｙ、ＬＣＤ）を別に生産し、次に一体に合わせてタッチ機能を有するディスプレイスクリーンを得る。アドオン型タッチパネルには製作コストが高く、光透過率が低く、モジュールが厚い等の欠点がある。インセル型タッチパネルはタッチパネルのタッチ電極をディスプレイスクリーンの内部に内蔵し、モジュール全体の厚みを薄くするだけでなく、タッチパネルの製作コストを大幅に削減させることができ、各パネルメーカーに注目されている。
【０００３】
通常、インセル型タッチパネルは相互容量又は自己容量の原理によって指タッチ位置の検出を実現する。例えば、自己容量の原理によって、同一層に設置されて相互に絶縁する複数の自己容量電極をタッチパネルに設置することができる。人体がスクリーンにタッチしていない場合に、各自己容量電極が受ける容量は固定値であり、人体がスクリーンにタッチする場合に、対応する自己容量電極が受ける容量は固定値と人体容量との和である。タッチチップはタッチ期間に各自己容量電極の容量値の変化を検出することによってタッチ位置を判断することができる。人体容量が相互容量の投射容量のみに作用できることに対して、人体容量がすべての自己容量に作用でき、人体のスクリーンへのタッチによるタッチ変化量が相互容量原理によって製造されたタッチパネルより大きいので、相互容量型タッチパネルに比べて自己容量型タッチパネルはタッチの信号対雑音比を効果的に向上させ、それによりタッチ感知の精度を向上させる。
【発明の概要】
【課題を解決するための手段】
【０００４】
本発明の実施例はインセル型タッチパネル及び表示装置を提供し、自己容量電極を減少することなく、タッチパネルの引き出し線を減少することができる。
【０００５】
本発明の少なくとも１つの実施例はタッチパネルを提供し、ベース基板と、前記ベース基板上にマトリクス状に配列された複数の自己容量電極と、タッチ期間に各前記自己容量電極の容量値の変化を検出することによってタッチ位置を判断するためのタッチチップとを備える。前記複数の自己容量電極は複数の互いに独立した自己容量電極群と複数の独立した自己容量電極に分けられ、各前記独立した自己容量電極はそれぞれ１つの前記自己容量電極であり、各前記独立した自己容量電極はそれぞれ異なるリード線によって前記タッチチップに電気的に接続され、各前記自己容量電極群はいずれも位置が隣接しない少なくとも２つの自己容量電極を備え、同一の自己容量電極群に属する各前記自己容量電極が同一のリード線によって前記タッチチップに電気的に接続され、少なくとも各前記自己容量電極群における各前記自己容量電極の上、下、左、右の４つの隣接位置に位置する自己容量電極はいずれも独立した自己容量電極である。
【０００６】
各前記自己容量電極群は列方向又は行方向に位置が隣接しない少なくとも２つの自己容量電極を備えてもよい。
【０００７】
同一の前記自己容量電極群に属する各前記自己容量電極の間に１つの前記独立した自己容量電極が介在してもよい。
【０００８】
各前記自己容量電極群は２つの前記自己容量電極を備えてもよい。
【０００９】
少なくとも各前記独立した自己容量電極の上、下、左、右の４つの隣接位置に位置する自己容量電極はいずれも前記自己容量電極群における自己容量電極であってもよい。
【００１０】
各前記自己容量電極群における各前記自己容量電極の隣接位置に位置する自己容量電極はいずれも独立した自己容量電極であってもよい。
【００１１】
タッチパネルの厚みを薄くするために、各前記自己容量電極は前記ベース基板上に設置された共通電極層により分割されてなり、前記タッチチップはさらに表示期間に各自己容量電極に共通電極信号をロードすることに用いられるようにしてもよい。
【００１２】
隣接する２つの前記自己容量電極の対向する側縁はいずれも折れ線であってもよい。
【００１３】
隣接する２つの前記自己容量電極の対向する折れ線の側縁はいずれも階段状構造を有し、２つの階段状構造の形状が一致して相互にマッチングするようにしてもよい。
【００１４】
隣接する２つの前記自己容量電極の対向する折れ線の側縁はいずれも凹凸状構造を有し、２つの凹凸状構造の形状が一致して相互にマッチングするようにしてもよい。
【００１５】
前記タッチパネルはアドオン型タッチパネル、オンセル型タッチパネル又はインセル型タッチパネルであってもよい。
【００１６】
本発明の実施例は上記いずれかのタッチパネルのタッチ位置特定方法をさらに提供する。前記タッチパネルにおける自己容量電極にタッチ検出信号を入力するステップと、各前記自己容量電極のフィードバック信号を受信し、フィードバック信号に基づいて各位置に位置する前記自己容量電極の容量値と第１プリセット容量値とを比較し、容量値が前記第１プリセット容量値より大きい自己容量電極の所在位置を第１位置として確定するステップと、各々の前記第１位置に対して、前記第１位置の上、下、左、右の４つの隣接位置に位置する自己容量電極の容量値が第２プリセット容量値より小さいか否かを判断するステップと、前記第１位置の上、下、左、右の４つの隣接位置に位置する自己容量電極のうち少なくとも２つの自己容量電極の容量値が前記第２プリセット容量値より小さいと、前記第１位置をゴースト位置として確定するステップと、前記ゴースト位置を除去した前記第１位置をタッチ位置として確定するステップとを含む。
【００１７】
各前記自己容量電極群における各前記自己容量電極の隣接位置に位置する上記自己容量電極がいずれも独立した自己容量電極であるタッチパネルに対して、本発明の実施例は上記タッチパネルのタッチ位置特定方法をさらに提供する。前記タッチパネルにおける自己容量電極にタッチ検出信号を入力するステップと、各前記自己容量電極のフィードバック信号を受信し、フィードバック信号に基づいて各位置に位置する前記自己容量電極の容量値と第１プリセット容量値とを比較し、容量値が前記第１プリセット容量値より大きい自己容量電極の所在位置を第１位置として確定するステップと、各々の前記第１位置に対して、前記第１位置の隣接位置に位置する自己容量電極の容量値が第２プリセット容量値より小さいか否かを判断するステップと、前記第１位置の隣接位置に位置する自己容量電極のうち少なくとも半分の自己容量電極の容量値が前記第２プリセット容量値より小さいと、前記第１位置をゴースト位置として確定するステップと、前記ゴースト位置を除去した前記第１位置をタッチ位置として確定するステップとを含む。
【００１８】
本発明の実施例は本発明の実施例に係る上記いずれかのタッチパネルを備える表示装置をさらに提供する。
【００１９】
本発明の実施例の技術案をさらに詳しく説明するために、以下、実施例の図面を簡単に説明する。勿論、以下説明される図面は本発明のいくつかの実施例のみに関するものであり、本発明を限定するものではない。
【図面の簡単な説明】
【００２０】
【図１】図１は自己容量型タッチパネルの平面模式図である。
【図２】図２は本発明の実施例に係るタッチパネルの平面模式図である。
【図３ａ】図３ａ〜図３ｆはそれぞれ本発明の実施例に係るタッチパネルの平面模式図である。
【図３ｂ】図３ａ〜図３ｆはそれぞれ本発明の実施例に係るタッチパネルの平面模式図である。
【図３ｃ】図３ａ〜図３ｆはそれぞれ本発明の実施例に係るタッチパネルの平面模式図である。
【図３ｄ】図３ａ〜図３ｆはそれぞれ本発明の実施例に係るタッチパネルの平面模式図である。
【図３ｅ】図３ａ〜図３ｆはそれぞれ本発明の実施例に係るタッチパネルの平面模式図である。
【図３ｆ】図３ａ〜図３ｆはそれぞれ本発明の実施例に係るタッチパネルの平面模式図である。
【図４ａ】図４ａ及び図４ｂはそれぞれ本発明の実施例に係るタッチパネルの駆動タイミング模式図である。
【図４ｂ】図４ａ及び図４ｂはそれぞれ本発明の実施例に係るタッチパネルの駆動タイミング模式図である。
【図５ａ】図５ａ及び図５ｂはそれぞれ本発明の実施例に係るタッチパネルの隣接する自己容量電極の対向する側縁が折れ線に設定される構造模式図である。
【図５ｂ】図５ａ及び図５ｂはそれぞれ本発明の実施例に係るタッチパネルの隣接する自己容量電極の対向する側縁が折れ線に設定される構造模式図である。
【図６】図６は本発明の実施例に係るタッチパネルのタッチ位置特定方法の模式的フローチャートである。
【図７ａ】図７ａは本発明の実施例に係るタッチパネルのタッチ模式図のその一である。
【図７ｂ】図７ｂは図７ａに示されたタッチパネルの各自己容量電極における容量値分布模式図である。
【図８ａ】図８ａは本発明の実施例に係るタッチパネルのタッチ模式図のその二である。
【図８ｂ】図８ｂは図８ａに示されたタッチパネルの各自己容量電極における容量値分布模式図である。
【図９ａ】図９ａは本発明の実施例に係るタッチパネルのタッチ模式図のその三である。
【図９ｂ】図９ｂは図９ａに示されたタッチパネルの各自己容量電極における容量値分布模式図である。
【図１０ａ】図１０ａは本発明の実施例に係るタッチパネルのタッチ模式図のその四である。
【図１０ｂ】図１０ｂは図１０ａに示されたタッチパネルの各自己容量電極における容量値分布模式図である。
【図１１ａ】図１１ａは本発明の実施例に係るタッチパネルのタッチ模式図のその五である。
【図１１ｂ】図１１ｂは図１１ａに示されたタッチパネルの各自己容量電極における容量値分布模式図である。
【図１２ａ】図１２ａは本発明の実施例に係るタッチパネルのタッチ模式図のその六である。
【図１２ｂ】図１２ｂは図１２ａに示されたタッチパネルの各自己容量電極における容量値分布模式図である。
【図１３】図１３は本発明の実施例に係るタッチパネルのタッチ位置特定方法の模式的フローチャートである。
【発明を実施するための形態】
【００２１】
以下、図面を参照しながら、本発明の実施例に係るタッチパネル、そのタッチ位置特定方法及び表示装置の好ましい実施形態を詳しく説明する。
【００２２】
図面における各膜層の厚み及び形状は実際の縮尺を反映せず、目的が本発明の実施例の内容を模式的に説明することにある。
【００２３】
自己容量原理によってタッチパネルを設計する場合に、各自己容量電極は独立した引き出し線によってタッチチップにおける接続端子（Ｐａｄ）に接続する必要がある。図１に示すように、各引き出し線は、自己容量電極１１をタッチパネルのフレームに接続するリード線１３と、フレームに設置され、自己容量電極１１をタッチチップの接続端子３に導通する周辺配線４とを備える。実施する時、自己容量電極の数が非常に多いので、対応する引き出し線も非常に多い。各自己容量電極の占有面積が５ｍｍ＊５ｍｍであることを例として、５インチの液晶ディスプレイスクリーンが２６４個の自己容量電極を必要とする。各自己容量電極をより小さく設計すると、自己容量電極がもっと多くなり、より多い引き出し線を設置する必要があるとともに、タッチチップがより多い接続端子を必要とする。従って、どのように自己容量電極を減少することなく引き出し線及びタッチチップにおける接続端子を減少するかは、自己容量型タッチパネル分野に解決する必要がある課題である。
【００２４】
本発明の実施例に係るタッチパネルは、図２に示すように、ベース基板１０と、ベース基板１０上にマトリクス状に配列された複数の自己容量電極１１と、タッチ期間に各自己容量電極１１の容量値の変化を検出することによってタッチ位置を判断するためのタッチチップ１２とを備える。
【００２５】
複数の自己容量電極は複数の互いに独立した自己容量電極群１１１と複数の独立した自己容量電極１１２に分けられ、各独立した自己容量電極１１２はそれぞれ１つの自己容量電極１１であり、各独立した自己容量電極１１２はそれぞれ異なるリード線１３によってタッチチップ１２に電気的に接続され、各自己容量電極群１１１はいずれも位置が隣接しない少なくとも２つの自己容量電極１１を備え、同一の自己容量電極群１１１に属する各自己容量電極１１が同一のリード線１３によってタッチチップ１２に電気的に接続され、少なくとも各自己容量電極群１１１における各自己容量電極１１の上、下、左、右の４つの隣接位置に位置する自己容量電極１１はいずれも独立した自己容量電極１１２である。
【００２６】
本発明の実施例に係る上記タッチパネルにおいて、複数の自己容量電極は複数の互いに独立した自己容量電極群と複数の独立した自己容量電極に分けられ、各自己容量電極群はいずれも位置が隣接しない少なくとも２つの自己容量電極を備え、同一の自己容量電極群に属する各自己容量電極が同一のリード線によってタッチチップに電気的に接続され、少なくとも各自己容量電極群における各自己容量電極の上、下、左、右の４つの隣接位置に位置する自己容量電極はいずれも独立した自己容量電極である。従って、一般的な１つの自己容量電極が１本のリード線によってタッチチップに電気的に接続されることに比べて、自己容量電極とタッチチップとを電気的に接続するリード線を減少することができ、それによりタッチパネルにおける引き出し線とタッチチップにおける接続端子を減少することができる。
【００２７】
ただし、本発明の実施例に係るタッチパネルにおいて、位置が隣接しないとはいずれの方向にも位置が隣接せず、それらの間に間隔があることを指す。このような隣接しないことは行方向又は列方向だけでなく、対角線方向も含む。
【００２８】
例えば、実施する時、自己容量電極群における自己容量電極は任意の隣接しない位置に位置する自己容量電極であってもよく、例えば行方向、列方向又は対角線方向に沿って隣接せず、ここで限定しない。
【００２９】
例えば、図３ａ及び図３ｃに示すように、各自己容量電極群１１１は列方向に位置が隣接しない少なくとも２つの自己容量電極１１を備えてもよく、図３ｂに示すように、各自己容量電極群１１１は行方向に位置が隣接しない少なくとも２つの自己容量電極１１を備えてもよい。
【００３０】
例えば、各自己容量電極群における自己容量電極の数は等しくてもよい。
【００３１】
例えば、図３ａ及び図３ｂに示すように、同一の自己容量電極群１１１に属する各自己容量電極１１の間に１つの独立した自己容量電極１１２が介在してもよい。勿論、実施する時、図３ｃに示すように、同一の自己容量電極群１１１に属する各自己容量電極１１の間に２つ又は複数の独立した自己容量電極１１２を介在してもよく、ここで限定しない。
【００３２】
例えば、各自己容量電極群における自己容量電極の間に介在する独立した自己容量電極の数は等しくてもよい。
【００３３】
例えば、図３ｄに示すように、各独立した自己容量電極１１２の上、下、左、右の４つの隣接位置での自己容量電極１１はいずれも自己容量電極群１１１における自己容量電極１１である。
【００３４】
さらに、図３ｅに示すように、各自己容量電極群１１１は２つの自己容量電極１１を備えてもよい。
【００３５】
例えば、図３ｆに示すように、各自己容量電極群１１１における各自己容量電極１１の隣接位置に位置する自己容量電極１１はいずれも独立した自己容量電極１１２である。
【００３６】
さらに、タッチチップと自己容量電極を電気的に接続するリード線は自己容量電極と同一層に設置されてもよく、非同一層（異なる層）に設置されてもよく、ここで限定しない。
【００３７】
ただし、本発明の実施例に係る上記タッチパネルは、タッチ機能のみを有するタッチパネル（タッチスクリーン）に適用されてもよく、タッチ機能だけでなく表示機能も有するタッチディスプレイスクリーン（タッチディスプレイパネル）に適用されてもよく、ここで限定しない。
【００３８】
さらに、本発明の実施例に係る上記タッチパネルはタッチディスプレイスクリーンに適用される場合に、アドオン型のものであってもよく、インセル型のものであってもよく、ここで限定しない。また、該ディスプレイスクリーンは液晶ディスプレイスクリーン又は有機エレクトロルミネッセンスディスプレイスクリーン等であってもよく、ここで限定しない。
【００３９】
例えば、本発明の実施例に係る上記タッチパネルはディスプレイパネルが液晶ディスプレイパネルのインセル型タッチディスプレイパネルに適用される場合に、各自己容量電極がベース基板上に設置された共通電極層により分割されてなり、タッチチップは表示期間に各自己容量電極に共通電極信号をロードすることに用いられる。
【００４０】
このように、本発明の実施例に係る上記タッチパネルは、ディスプレイパネルの共通電極層を自己容量電極として兼用化、ＴＮモードの共通電極層パターンを変更し、複数の相互に独立した自己容量電極及び自己容量電極をタッチチップに接続するリード線を形成する。相互容量原理によってタッチ機能を実現する場合に一般的なアレイ基板内に２層の新たな膜層を追加する必要があることに対して、本発明の実施例に係るタッチパネルはさらなる膜層を追加する必要がなく、元の全層にわたり設置された共通電極層に対してパターニングプロセスを行って対応する自己容量電極及びリード線のパターンを形成するだけでよく、それにより生産コストを節約し、生産効率を向上させる。
【００４１】
例えば、本発明の実施例に係る上記タッチパネルは共通電極層を自己容量電極として多重化するので、実施する時、タッチと表示段階別の時分割駆動方式を採用する必要があり、表示駆動チップとタッチチップを１つのチップに統合してもよく、生産コストをさらに削減させる。
【００４２】
例えば、図４ａ及び図４ｂに示される駆動タイミングチャートにおいて、タッチパネルの各フレーム（Ｖ−ｓｙｎｃ）を表示する時間を表示期間（Ｄｉｓｐｌａｙ）とタッチ期間（Ｔｏｕｃｈ）に分ける。例えば、図４ａ及び図４ｂに示される駆動タイミングチャートにおいて、タッチパネルの１フレームを表示する時間が１６．７ｍｓであり、そのうちの４ｍｓをタッチ期間、残りの１２．７ｍｓを表示期間として選択する。勿論、ＩＣチップの処理能力に基づいて両者の時間長さを適当に調整してもよく、ここで具体的に限定しない。表示期間（Ｄｉｓｐｌａｙ）に、タッチパネルにおける各ゲート信号線Ｇａｔｅ１、Ｇａｔｅ２……Ｇａｔｅ  ｎにゲート走査信号を順次印加し、データ信号線Ｄａｔａに階調信号を印加し、各自己容量電極Ｃｘ１……Ｃｘ  ｎに接続されたタッチチップが各自己容量電極Ｃｘ１……Ｃｘ  ｎにそれぞれ共通電極信号を印加して、液晶表示機能を実現する。タッチ期間（Ｔｏｕｃｈ）に、図４ａに示すように、各自己容量電極Ｃｘ１……Ｃｘ  ｎに接続されたタッチチップが各自己容量電極Ｃｘ１……Ｃｘ  ｎに駆動信号を同時に印加するとともに、各自己容量電極Ｃｘ１……Ｃｘ  ｎのフィードバック信号を受信する。図４ｂに示すように、各自己容量電極Ｃｘ１……Ｃｘ  ｎに接続されたタッチチップが各自己容量電極Ｃｘ１……Ｃｘ  ｎに駆動信号を順次印加し、それぞれ各自己容量電極Ｃｘ１……Ｃｘ  ｎのフィードバック信号を受信してもよく、ここで限定しない。フィードバック信号に対する分析によってタッチが発生するか否かを判断して、タッチ機能を実現する。
【００４３】
さらに、本発明の実施例に係るタッチパネルにおいて、人体容量が直接カップリングの方式で各自己容量電極の自己容量に作用する。従って、人体がスクリーンにタッチする場合に、タッチ位置の下方における自己容量電極のみの容量値の変化量が大きく、タッチ位置の下方における自己容量電極に隣接する自己容量電極の容量値の変化量が非常に小さい。このように、タッチパネルにおいてスライドする時、自己容量電極の所在領域内のタッチ座標を確定できない。この問題を解決するために、本発明の実施例に係るインセル型タッチパネルにおいて、隣接する２つの自己容量電極の対向する側縁をそれぞれ折れ線に設定することにより、タッチ位置の下方に位置する自己容量電極に隣接する自己容量電極の容量値の変化量を大きくする。
【００４４】
実施する時、以下の２種の方式のうちの１つ又は組み合わせの方式で各自己容量電極の全体形状を設定することができる。
【００４５】
１、隣接する２つの自己容量電極１１の対向する折れ線の側縁をそれぞれ階段状構造に設定し、２つの階段状構造の形状が一致して相互にマッチングし、図５ａに示すように、図５ａは２＊２個の自己容量電極１１を示す。
【００４６】
２、隣接する２つの自己容量電極１１の対向する折れ線の側縁をそれぞれ凹凸状構造に設定し、２つの凹凸状構造の形状が一致して相互にマッチングし、図５ｂに示すように、図５ｂは２＊２個の自己容量電極１１を示す。
【００４７】
さらに、少なくとも２つの自己容量電極からなる複数の自己容量電極群を備えるので、タッチパネルにおいて自己容量電極群における自己容量電極の一部にタッチが発生し、残りの部分にタッチが発生しない場合に、同一の自己容量電極群に属する各自己容量電極同士が電気的に接続されるので、同一の自己容量電極群におけるタッチが発生しない自己容量電極も容量が発生する。タッチ位置を正確に確定するために、実際にタッチが発生せず、容量変化量がタッチの発生した自己容量電極の容量変化と同じである位置を除外しなければ、本当にタッチが発生した自己容量電極の位置を確定することができる。
【００４８】
本発明の実施例に係るタッチパネルにおいて、各自己容量電極群における自己容量電極の上、下、左、右の４つの隣接する自己容量電極はいずれも独立した自己容量電極であると、４つの隣接位置での自己容量電極の容量値の変化によって、自己容量電極群における自己容量電極に本当にタッチが発生するか否かを確定し、即ち、該自己容量電極の所在位置がゴースト位置であるか否かを確定する。
【００４９】
従って、本発明の実施例は上記タッチパネルのタッチ位置特定方法をさらに提供し、図６に示すように、
タッチパネルにおける自己容量電極にタッチ検出信号を入力するＳ１０１と、
各自己容量電極のフィードバック信号を受信し、フィードバック信号に基づいて各位置に位置する自己容量電極の容量値と第１プリセット容量値とを比較するＳ１０２と、
容量値が第１プリセット容量値より大きい自己容量電極の所在位置を第１位置として確定するＳ１０３と、
各々の第１位置に対して、第１位置の上、下、左、右の４つの隣接位置に位置する自己容量電極の容量値が第２プリセット容量値より小さいか否かを判断するＳ１０４と、
第１位置の上、下、左、右の４つの隣接位置に位置する自己容量電極のうち少なくとも２つの自己容量電極の容量値が第２プリセット容量値より小さいと、該第１位置をゴースト位置として確定するＳ１０５と、
ゴースト位置を除去した第１位置をタッチ位置として確定するＳ１０６とを含む。
【００５０】
本発明の実施例に係る上記タッチパネルのタッチ位置特定方法は、まず容量値が第１プリセット容量値より大きい自己容量電極の所在位置を第１位置として確定し、次に第１位置での自己容量電極の上、下、左、右の４つの隣接位置での自己容量電極の容量値の変化に基づいて、第１位置からゴースト位置を確定し、その後、ゴースト位置を除去した第１位置をタッチ位置として確定し、それによりタッチパネルの正確なタッチを実現する。
【００５１】
例えば、実施する時、本発明の実施例に係る上記タッチ位置特定方法において、一般的に、第１プリセット容量値はタッチがあると確定する最小容量値であり、経験値に基づいて得られるので、ここで詳述しない。
【００５２】
例えば、実施する時、本発明の実施例に係る上記タッチ位置特定方法において、一般的に、第２プリセット容量値はタッチによる最も近接する位置での自己容量電極に対する影響がもっとも小さい影響に対応する最小容量値として確定し、これも経験値に基づいて得られるので、ここで詳述しない。
【００５３】
以下、図３ｅに示された構造のタッチパネルを例として、具体的な実施例によって本発明の実施例に係る上記タッチ位置特定方法を説明する。
【００５４】
実例１
【００５５】
例えば、図７ａ、図８ａ、図９ａ、図１０ａ、図１１ａ及び図１２ａに示すように、５＊５個の自己容量電極１１を取り、図において、Ｘは所在行数（Ｘ＝１、２…５）を示し、Ｙは所在列数（Ｙ＝１、２…５）を示し、各自己容量電極１１の所在位置は（Ｘ、Ｙ）で示す。タッチパネルにタッチがないと仮定する場合に、各位置に位置する自己容量電極の容量はいずれも０であり、１つの指に持たれる容量が５００であり、１つの指が１つの位置にタッチする場合に、該位置での自己容量電極の容量は５００になり、１つの指が２つの位置にタッチする場合に、該２つの位置での自己容量電極の容量はそれぞれ２５０になり、２つの指が同時に１つの位置にタッチする場合に、該位置での自己容量電極の容量は１０００になる。且つ、指がある位置にタッチする場合に、必然的に該位置の周辺位置に位置する自己容量電極の容量が変化し、且つ該位置に近いほど自己容量電極の容量が大きく、一番近い自己容量電極の容量が５０であると仮定し、遠い自己容量電極にも影響を与えるが、影響が弱いので、ここで無視し、第１プリセット容量値が２２０、第２プリセット容量値が２５であると仮定する。
【００５６】
一、タッチパネルに１つのタッチ点がある第１の場合
タッチパネルにおいて自己容量電極群の１つの自己容量電極の所在位置にタッチがある場合に、図７ａに示される位置（３、４）であり、上記仮定に基づいて、図７ａの各位置での自己容量電極１１の容量が図７ｂに示される。
【００５７】
１、図７ｂの各位置での自己容量電極１１の容量値と２２０（第１プリセット容量値）とを比較し、位置（３、２）及び（３、４）での自己容量電極１１の容量値が２２０より大きいので、位置（３、２）及び（３、４）を第１位置として確定する。
【００５８】
２、各々の第１位置に対して、
位置（３、２）の上、下、左、右の４つの隣接位置での自己容量電極１１の容量値に基づいて、位置（３、２）の上、下、左、右の４つの隣接位置のうち３つの隣接位置での自己容量電極１１の容量が２５（第２プリセット容量値）より小さいと確定し、従って位置（３、２）はゴースト位置であり、
【００５９】
位置（３、４）の上、下、左、右の４つの隣接位置での自己容量電極１１の容量値に基づいて、位置（３、４）の上、下、左、右の４つの隣接位置での自己容量電極１１の容量がいずれも２５（第２プリセット容量値）より大きいと確定し、従って位置（３、４）はゴースト位置ではなく、
【００６０】
従って第１位置のうち位置（３、２）のみはゴースト位置である。
【００６１】
３、第１位置（３、２）及び（３、４）からゴースト位置（３、２）を除去して、残った位置（３、４）はタッチ位置である。
【００６２】
二、タッチパネルに１つのタッチ点がある第２の場合
タッチパネルにおいて自己容量電極群の１つの自己容量電極及びそれに隣接する独立した自己容量電極の所在位置にタッチがある場合に、図８ａに示される位置（２、４）及び（３、４）であり、上記仮定に基づいて、図８ａの各位置での自己容量電極１１の容量が図８ｂに示される。
【００６３】
１、図８ｂの各位置での自己容量電極１１の容量値と２２０（第１プリセット容量値）とを比較し、位置（２、４）、（３、２）及び（３、４）での自己容量電極１１の容量値が２２０より大きいので、位置（２、４）、（３、２）及び（３、４）を第１位置として確定する。
【００６４】
２、各々の第１位置に対して、
位置（２、４）の上、下、左、右の４つの隣接位置での自己容量電極１１の容量値に基づいて、位置（２、４）の上、下、左、右の４つの隣接位置のうち１つのみの位置での自己容量電極１１の容量が２５（第２プリセット容量値）より小さいと確定し、従って位置（２、４）はゴースト位置ではなく、
位置（３、２）の上、下、左、右の４つの隣接位置での自己容量電極１１の容量値に基づいて、位置（３、２）の上、下、左、右の４つの隣接位置のうち３つの位置での自己容量電極１１の容量が２５（第２プリセット容量値）より小さいと確定し、従って位置（３、２）はゴースト位置であり、
位置（３、４）の上、下、左、右の４つの隣接位置での自己容量電極１１の容量値に基づいて、位置（３、４）の上、下、左、右の４つの隣接位置のうち１つのみの位置での自己容量電極１１の容量が２５（第２プリセット容量値）より小さいと確定し、従って位置（３、４）はゴースト位置ではなく、
従って第１位置のうち位置（３、２）のみはゴースト位置である。
【００６５】
３、第１位置（２、４）、（３、２）及び（３、４）からゴースト位置（３、２）を除去して、残った位置（２、４）及び（３、４）はタッチ位置である。
【００６６】
三、タッチパネルに２つのタッチ点がある第１の場合
タッチパネルにおいて自己容量電極群の２つの自己容量電極の所在位置にそれぞれタッチがある場合に、図９ａに示される位置（３、２）及び（３、４）であり、上記仮定に基づいて、図９ａの各位置での自己容量電極１１の容量が図９ｂに示される。
【００６７】
１、図９ｂの各位置での自己容量電極１１の容量値と２２０（第１プリセット容量値）とを比較し、位置（３、２）及び（３、４）での自己容量電極１１の容量値が２２０より大きいので、位置（３、２）及び（３、４）を第１位置として確定する。
【００６８】
２、各々の第１位置に対して、
位置（３、２）の上、下、左、右の４つの隣接位置での自己容量電極１１の容量値に基づいて、位置（３、２）の上、下、左、右の４つの隣接位置での自己容量電極１１の容量がいずれも２５（第２プリセット容量値）より大きいと確定し、従って位置（３、２）はゴースト位置ではなく、
位置（３、４）の上、下、左、右の４つの隣接位置での自己容量電極１１の容量値に基づいて、位置（３、４）の上、下、左、右の４つの隣接位置での自己容量電極１１の容量がいずれも２５（第２プリセット容量値）より大きいと確定し、従って位置（３、４）はゴースト位置ではなく、
従って第１位置のうちゴースト位置がない。
【００６９】
３、従って第１位置（３、２）及び（３、４）はタッチ位置である。
【００７０】
四、タッチパネルに２つのタッチ点がある第２の場合
タッチパネルにおいて自己容量電極群の２つの自己容量電極及びそれに隣接する独立した自己容量電極の所在位置にタッチがある場合に、図１０ａに示される位置（２、２）及び（３、２）、（２、４）及び（３、４）であり、上記仮定に基づいて、図１０ａの各位置での自己容量電極１１の容量が図１０ｂに示される。
【００７１】
１、図１０ｂの各位置での自己容量電極１１の容量値と２２０（第１プリセット容量値）とを比較し、位置（２、２）、（２、４）、（３、２）及び（３、４）での自己容量電極１１の容量値が２２０より大きいので、位置（２、２）、（２、４）、（３、２）及び（３、４）を第１位置として確定する。
【００７２】
２、各々の第１位置に対して、
位置（２、２）の上、下、左、右の４つの隣接位置での自己容量電極１１の容量値に基づいて、位置（２、２）の上、下、左、右の４つの隣接位置のうち１つのみの位置での自己容量電極１１の容量が２５（第２プリセット容量値）より小さいと確定し、従って位置（２、２）はゴースト位置ではなく、
位置（２、４）の上、下、左、右の４つの隣接位置での自己容量電極１１の容量値に基づいて、位置（２、４）の上、下、左、右の４つの隣接位置のうち１つのみの位置での自己容量電極１１の容量が２５（第２プリセット容量値）より小さいと確定し、従って位置（２、４）はゴースト位置ではなく、
位置（３、２）の上、下、左、右の４つの隣接位置での自己容量電極１１の容量値に基づいて、位置（３、２）の上、下、左、右の４つの隣接位置のうち１つのみの位置での自己容量電極１１の容量が２５（第２プリセット容量値）より小さいと確定し、従って位置（３、２）はゴースト位置ではなく、
位置（３、４）の上、下、左、右の４つの隣接位置での自己容量電極１１の容量値に基づいて、位置（３、４）の上、下、左、右の４つの隣接位置のうち１つのみの位置での自己容量電極１１の容量が２５（第２プリセット容量値）より小さいと確定し、従って位置（３、４）はゴースト位置ではなく、
従って第１位置のうちゴースト位置がない。
【００７３】
３、従って第１位置（２、２）、（２、４）、（３、２）及び（３、４）はタッチ位置である。
【００７４】
五、タッチパネルに２つのタッチ点がある第３の場合
タッチパネルにおいて自己容量電極群の１つの自己容量電極及びそれに隣接する２つの独立した自己容量電極の所在位置にタッチがある場合に、図１１ａに示される位置（２、４）、（３、４）及び（４、４）であり、上記仮定に基づいて、図１１ａの各位置での自己容量電極１１の容量が図１１ｂに示される。
【００７５】
１、図１１ｂの各位置での自己容量電極１１の容量値と２２０（第１プリセット容量値）とを比較し、位置（２、４）、（３、２）、（３、４）及び（４、４）の自己容量電極１１の容量値が２２０より大きいので、位置（２、４）、（３、２）、（３、４）及び（４、４）を第１位置として確定する。
【００７６】
２、各々の第１位置に対して、
位置（２、４）の上、下、左、右の４つの隣接位置での自己容量電極１１の容量値に基づいて、位置（２、４）の上、下、左、右の４つの隣接位置のうち１つのみの位置での自己容量電極１１の容量が２５（第２プリセット容量値）より小さいと確定し、従って位置（２、４）はゴースト位置ではなく、
位置（３、２）の上、下、左、右の４つの隣接位置での自己容量電極１１の容量値に基づいて、位置（３、２）の上、下、左、右の４つの隣接位置のうち３つの位置での自己容量電極１１の容量が２５（第２プリセット容量値）より小さいと確定し、従って位置（３、２）はゴースト位置であり、
位置（３、４）の上、下、左、右の４つの隣接位置での自己容量電極１１の容量値に基づいて、位置（３、４）の上、下、左、右の４つの隣接位置での自己容量電極１１の容量がいずれも２５（第２プリセット容量値）より大きいと確定し、従って位置（３、４）はゴースト位置ではなく、
位置（４、４）の上、下、左、右の４つの隣接位置での自己容量電極１１の容量値に基づいて、位置（４、４）の上、下、左、右の４つの隣接位置のうち１つのみの位置での自己容量電極１１の容量が２５（第２プリセット容量値）より小さいと確定し、従って位置（４、４）はゴースト位置ではなく、
従って第１位置のうち位置（３、２）のみはゴースト位置である。
【００７７】
３、第１位置（２、４）、（３、２）、（３、４）及び（４、４）からゴースト位置（３、２）を除去して、残った位置（２、４）、（３、４）及び（４、４）はタッチ位置である。
【００７８】
六、タッチパネルに３つのタッチ点がある場合
タッチパネルにおいて１つの自己容量電極群の１つの自己容量電極及びそれに隣接する独立した自己容量電極の所在位置にタッチがあり、１つの独立した自己容量電極の所在位置にタッチがあり、及び別の自己容量電極群の１つの自己容量電極の所在位置にタッチがある場合に、図１２ａに示される位置（３、３）及び（３、４）、（４、３）及び（４、４）であり、上記仮定に基づいて、図１２ａの各位置での自己容量電極１１の容量が図１２ｂに示される。
【００７９】
１、図１２ｂの各位置での自己容量電極１１の容量値と２２０（第１プリセット容量値）とを比較し、位置（３、２）、（３、３）、（３、４）、（４、３）、（４、４）及び（４、５）での自己容量電極１１の容量値が２２０より大きいので、位置（３、２）、（３、３）、（３、４）、（４、３）、（４、４）及び（４、５）を第１位置として確定する。
【００８０】
２、各々の第１位置に対して、
位置（３、２）の上、下、左、右の４つの隣接位置での自己容量電極１１の容量値に基づいて、位置（３、２）の上、下、左、右の４つの隣接位置のうち３つの位置での自己容量電極１１の容量が２５（第２プリセット容量値）より小さいと確定し、従って位置（３、２）はゴースト位置であり、
位置（３、３）の上、下、左、右の４つの隣接位置での自己容量電極１１の容量値に基づいて、位置（３、３）の上、下、左、右の４つの隣接位置のうち１つのみの位置での自己容量電極１１の容量が２５（第２プリセット容量値）より小さいと確定し、従って位置（３、３）はゴースト位置ではなく、
位置（３、４）の上、下、左、右の４つの隣接位置での自己容量電極１１の容量値に基づいて、位置（３、４）の上、下、左、右の４つの隣接位置での自己容量電極１１の容量がいずれも２５（第２プリセット容量値）より大きいと確定し、従って位置（３、４）はゴースト位置ではなく、
位置（４、３）の上、下、左、右の４つの隣接位置での自己容量電極１１の容量値に基づいて、位置（４、３）の上、下、左、右の４つの隣接位置のうち２つの位置での自己容量電極１１の容量が２５（第２プリセット容量値）より小さいと確定し、従って位置（４、３）はゴースト位置であり、
位置（４、４）の上、下、左、右の４つの隣接位置での自己容量電極１１の容量値に基づいて、位置（４、４）の上、下、左、右の４つの隣接位置のうち１つのみの位置での自己容量電極１１の容量が２５（第２プリセット容量値）より小さいと確定し、従って位置（４、４）はゴースト位置ではなく、
位置（４、５）の上、下、左、右の４つの隣接位置での自己容量電極１１の容量値に基づいて、位置（４、５）の上、下、左、右の４つの隣接位置のうち２つの位置での自己容量電極１１の容量が２５（第２プリセット容量値）より小さいと確定し、従って位置（４、５）はゴースト位置であり、
従って第１位置のうち位置（３、２）及び（４、５）のみはゴースト位置である。
【００８１】
３、第１位置（３、２）、（３、３）、（３、４）、（４、３）、（４、４）及び（４、５）からゴースト位置（３、２）及び（４、５）を除去して、残った位置（３、３）、（３、４）、（４、３）及び（４、４）はタッチ位置である。
【００８２】
例えば、上記実施例において、タッチパネルにタッチがある場合に、各位置での自己容量電極の容量はいずれも仮定に基づいた推算値であり、本発明のタッチ位置特定方法をより良く説明するためのものに過ぎず、本発明を限定するものではない。
【００８３】
上記実施例はいくつかのタッチ点位置の場合に対して本発明の実施例に係るタッチ位置特定方法を説明し、上記実施例から分かるように、本発明の実施例に係るタッチ方法はシングルポイントタッチを行ってもよく、マルチポイントタッチを行ってもよい。
【００８４】
さらに、自己容量電極群が３つ以上の自己容量電極を備えるタッチパネルのタッチ方法は上記実施例の原理と同じであり、ここで重複説明を省略する。
【００８５】
例えば、本発明の実施例に係るタッチ方法は、自己容量電極群が３つ以上の自己容量電極を備えるタッチパネルに対して、シングルポイントタッチにより適用できる。
【００８６】
同一の発明構想に基づき、各自己容量電極群における各自己容量電極の隣接位置に位置する上記自己容量電極がいずれも独立した自己容量電極であるタッチパネル、例えば、図３ｆに示されたタッチパネルに対して、本発明の実施例は上記タッチパネルのタッチ位置特定方法をさらに提供し、図１３に示すように、
【００８７】
タッチパネルにおける自己容量電極にタッチ検出信号を入力するＳ２０１と、
各自己容量電極のフィードバック信号を受信し、フィードバック信号に基づいて各位置に位置する自己容量電極の容量値と第１プリセット容量値とを比較するＳ２０２と、
容量値が第１プリセット容量値より大きい自己容量電極の所在位置を第１位置として確定するＳ２０３と、
各々の第１位置に対して、第１位置の隣接位置に位置する自己容量電極の容量値が第２プリセット容量値より小さいか否かを判断するＳ２０４と、
第１位置の隣接位置に位置する自己容量電極のうち少なくとも半分の自己容量電極の容量値が第２プリセット容量値より小さいと、第１位置をゴースト位置として確定するＳ２０５と、
ゴースト位置を除去した第１位置をタッチ位置として確定するＳ２０６とを含む。
【００８８】
上記図１３に示されたタッチ位置特定方法について、原理が図６に示されたタッチ位置特定方法と同じであり、ゴースト位置を確定するために判断する必要がある隣接位置での自己容量電極の数は増加するおそれがあり、図８ａを例として、各自己容量電極群における自己容量電極は８つの隣接位置を有し、従って８つを判断する必要があり、図６は８つの隣接位置のうち上、下、左、右の４つの隣接位置のみを判断し、他のステップはいずれも同じであるので、ここで重複説明を省略する。
【００８９】
同一の発明構想に基づき、本発明の実施例は本発明の実施例に係る上記いずれかのタッチパネルを備える表示装置をさらに提供し、該表示装置は、携帯電話、腕時計、タブレットパソコン、テレビ、ディスプレイ、ノートパソコン、デジタルフォトフレーム、ナビゲータ等の表示機能を有するいずれかの製品又は部材であってもよい。該表示装置の実施は上記タッチパネルの実施例を参照することができ、重複説明を省略する。、
【００９０】
本発明の実施例に係るタッチパネル、そのタッチ位置特定方法及び表示装置は、タッチパネルにおいて複数の自己容量電極が複数の互いに独立した自己容量電極群と複数の独立した自己容量電極に分けられ、各自己容量電極群がいずれも位置が隣接しない少なくとも２つの自己容量電極を備え、同一の自己容量電極群に属する各自己容量電極が同一のリード線によってタッチチップに電気的に接続され、例えば、少なくとも各自己容量電極群における各自己容量電極の上、下、左、右の４つの隣接位置に位置する自己容量電極がいずれも独立した自己容量電極である。従って、一般的な１つの自己容量電極が１本のリード線によってタッチチップに電気的に接続されることに比べて、自己容量電極とタッチチップとを電気的に接続するリード線を減少することができ、それによりタッチパネルにおける引き出し線とタッチチップにおける接続端子を減少することができる。
【００９１】
以上、本発明の例示的な実施形態を説明したが、本発明の保護範囲を制限するものではなく、本発明の保護範囲が添付される請求の範囲により定められる。
【００９２】
本願は、２０１４年９月１９日に出願された中国特許出願番号２０１４１０４８４０５４．Ｘの優先権を主張し、ここで、上記中国特許出願に開示されている内容の全体が本願の一部として援用される。
【符号の説明】
【００９３】
３−接続端子
４−周辺配線
１０−ベース基板
１１−自己容量電極
１２−タッチチップ
１３−リード線
１１１−互いに独立した自己容量電極群
１１２−独立した自己容量電極
【図１】
0006466584.tif 000002
【図２】
0006466584.tif 000003
【図３ａ】
0006466584.tif 000004
【図３ｂ】
0006466584.tif 000005
【図３ｃ】
0006466584.tif 000006
【図３ｄ】
0006466584.tif 000007
【図３ｅ】
0006466584.tif 000008
【図３ｆ】
0006466584.tif 000009
【図４ａ】
0006466584.tif 000010
【図４ｂ】
0006466584.tif 000011
【図５ａ】
0006466584.tif 000012
【図５ｂ】
0006466584.tif 000013
【図６】
0006466584.tif 000014
【図７ａ】
0006466584.tif 000015
【図７ｂ】
0006466584.tif 000016
【図８ａ】
0006466584.tif 000017
【図８ｂ】
0006466584.tif 000018
【図９ａ】
0006466584.tif 000019
【図９ｂ】
0006466584.tif 000020
【図１０ａ】
0006466584.tif 000021
【図１０ｂ】
0006466584.tif 000022
【図１１ａ】
0006466584.tif 000023
【図１１ｂ】
0006466584.tif 000024
【図１２ａ】
0006466584.tif 000025
【図１２ｂ】
0006466584.tif 000026
【図１３】
0006466584.tif 000027